(57)【要約】【課題】冷水の注出弁より下流側の水管内で雑菌が発生するのを抑制し得る構造を備えた飲料水サーバを提供する。【解決手段】冷水タンク２から飲料水を取り出す冷水注出管６に設けられた冷水注出弁７の下流側の水管７０に加熱手段１５を設ける。加熱手段１５は、温水タンク３から飲料水を取り出すための温水注出管１０を下流側水管７０に近接させ、温水注出管１０の熱を利用して下流側水管７０を加熱する。これにより、下流側水管７０の管路内に付着・残留する水分が蒸発し、さらには管路内に結露が生じるのが防止され、下流側水管７０における雑菌の発生が抑制される。【選択図】  図１
2009083871.tif 000002
【特許請求の範囲】
【請求項１】
冷水タンクから冷水を取り出すための冷水注出管に冷水注出弁が備えられた飲料水サーバにおいて、
前記冷水注出弁の下流側に設けられる下流側水管の管路を加熱する加熱手段が設けられていることを特徴とする飲料水サーバ。
【請求項２】
前記加熱手段が電気ヒータで構成されていることを特徴とする請求項１に記載の飲料水サーバ。
【請求項３】
前記加熱手段が、飲料水サーバに備えられた温水タンクから飲料水を取り出すための温水注出管によって構成されていることを特徴とする請求項１に記載の飲料水サーバ。
【請求項４】
前記温水注出管が、前記下流側水管の周囲の少なくとも一部を回るように交差して配設されていることを特徴とする請求項３に記載の飲料水サーバ。
【請求項５】
前記温水注出管が、前記下流側水管の一部と並行するように配設されていることを特徴とする請求項３に記載の飲料水サーバ。
【請求項６】
前記下流側水管は、その管路の断面形状が長孔状を呈するように構成されていることを特徴とする請求項１から５のいずれかに記載の飲料水サーバ。
【発明の詳細な説明】
【技術分野】
【０００１】
この発明は飲料水サーバに関し、より詳細には、交換可能に取り付けられたウォーターボトルから供給される飲料水を、加熱又は冷却して注出口から取り出し可能に構成してなる飲料水サーバに関する。
【背景技術】
【０００２】
図５は、従来の飲料水サーバの概略構成を示している。図示のように、この種の飲料水サーバは、飲料水が充填されたウォーターボトルａから供給される飲料水を、加熱装置ｈを備えた温水タンクｂと冷却装置（図示せず）を備えた冷水タンクｃとに貯留するように構成され、これら各タンクのそれぞれにはタンク内の飲料水を取り出すための注出管ｄ，ｅが接続され、各注出管ｄ，ｅの先端に注出弁ｆ，ｇが設けられている。
【０００３】
ところで、このようにタンクｂ，ｃ内に飲料水を貯留する構成を採用する場合、タンクｂ，ｃ内で雑菌が繁殖するのを防止する必要があることから、この種の飲料水サーバにおいては、図示のように、ウォーターボトルａから供給される飲料水を飲料水供給管ｉを通じて一旦温水タンクｂに落とし込み、該温水タンクｂ内で熱殺菌を行ってから第２の飲料水供給管ｊを通じて冷水タンクｃに供給することが提案されている（特許文献１参照）。
【０００４】
また、このように冷水タンクｃに供給する飲料水に対して熱殺菌を行う場合であっても冷水タンクｃ内で雑菌が繁殖することがあることから、冷水タンクｃ内に紫外線を照射する紫外線ランプｋを設けて冷水タンクｃ内の殺菌を行うものや（特許文献２参照）、冷水取り出し用の注出弁ｇの上流側（注出管ｅ内）に紫外線ランプを設けたもの（特許文献３参照）が提案されている。
【特許文献１】特開２００６−３４７５５６号公報
【特許文献２】特開２００６−６２７２０号公報
【特許文献２】特開２０００−１２８２９２号公報
【発明の開示】
【発明が解決しようとする課題】
【０００５】
しかしながら、このような従来の構成においては以下の問題があり、その改善が望まれていた。
【０００６】
すなわち、従来の飲料水サーバにおける殺菌は、上述したように温水・冷水の各タンクｂ，ｃ内や冷水の注出管ｅ内を対象としたものであり、飲料水の注ぎ口についての殺菌は全く考慮されていなかった。
【０００７】
具体的には、冷水の注出弁ｇを一旦開いて飲料水を取り出すと、注出弁ｇを閉じた後においても注出弁ｇの下流側の水管ｍ内には水滴等が残留する。また、冷水の注出弁ｇの上流側は冷水が満たされているため、この冷水によって下流側の水管ｍの温度が下がり水管ｍ内に結露が生じることがある。このように、注出弁ｇの下流側の水管ｍ内に残留する水滴や結露等による水分は雑菌の繁殖の元になる。しかも、注出弁ｇの下流側の水管ｍは外気に接するため、雑菌が繁殖する可能性が高いという問題がある。
【０００８】
本発明は、このような問題点に鑑みてなされたものであって、その目的とするところは、飲料水サーバにおける冷水の注出弁より下流側の水管内で雑菌が発生するのを抑制し得る構造を備えた飲料水サーバを提供することにある。
【課題を解決するための手段】
【０００９】
上記目的を達成するため、本発明に係る飲料水サーバは、冷水タンクから冷水を取り出すための冷水注出管に冷水注出弁が備えられた飲料水サーバにおいて、前記冷水注出弁の下流側に設けられる下流側水管の管路を加熱する加熱手段が設けられていることを特徴とする。
【００１０】
すなわち、本発明では、下流側水管の管路内に付着・残留する水分を加熱手段によって加熱・蒸発させることができるので、水管内を乾いた状態にすることができ、雑菌の発生を防止することができる。また、加熱によって下流側水管の温度が下がるのが防止されるので管路内に結露が発生するのを予防できる。
【００１１】
そして、本発明はその好適な実施態様として、前記加熱手段を電気ヒータで構成することができる。また、飲料水サーバに温水タンクが設けられている場合には、前記加熱手段として、温水タンクから飲料水を取り出すために設けられた温水注出管を用いることもできる。この場合、別途の電気ヒータが不要であるから消費電力の増加を回避できる。なお、温水注出管を加熱手段とする場合、温水注出管が前記下流側水管の周囲の少なくとも一部を回るように交差して配設したり、あるいは、下流側水管の一部と並行するように配設することにより、温水注出管からの放熱を利用して下流側水管を加熱することができる。
【００１２】
また、本発明は他の特徴として、前記下流側水管は、その管路の断面形状が長孔状を呈するように構成されていることを特徴とする。
【００１３】
すなわち、通常の配管のように管路が円形のものでは管内に水膜が形成されやすく、管内に水分が残留しやすいので、本発明では下流側水管の内径に水膜が形成され難いようにしている。
【発明の効果】
【００１４】
本発明によれば、冷水注出弁の下流側水管の管路内に付着・残留する水分を加熱手段によって加熱・蒸発させることができるので、水管内を乾いた状態にすることができ、雑菌の発生を防止することができる。また、加熱によって下流側水管の温度が下がるのが防止されるので管路内に結露が発生するのを予防できる。
【００１５】
また、本発明によれば、下流側水管の管路の断面形状が長孔状を呈するように構成されていることから、内径に水膜が形成され難く、この点でも管路内への水分の残留が抑制される。
【発明を実施するための最良の形態】
【００１６】
以下、本発明の実施形態を図面に基づいて詳細に説明する。
図１に本発明に係る飲料水サーバの概略構成の一例を示す。本発明の飲料水サーバは、冷水取り出し用の配管に設けられる冷水注出弁の下流側水管の殺菌を行えるように構成してなる飲料水サーバであって、図示のように、ウォーターボトル１と、冷水タンク２と、温水タンク３と、制御部（制御手段）４と、加熱手段１５とを主要部として備えている。
【００１７】
ウォーターボトル１は、飲料水サーバに供給する飲料水が充填された交換可能な容器として提供される。このウォーターボトル１には、内部に充填された飲料水を飲料水サーバに供給するための注出口１ａが胴体部１ｂから突出して設けられており、飲料水サーバへの取り付け前においてはこの注出口１ａがキャップなどで密封されている。つまり、このウォーターボトル１は、内部に充填された飲料水が雑菌などで汚染されない状態で提供される。そして、飲料水サーバへの取り付けにあたっては、上記注出口１ａの密封を解いて、この注出口１ａが下向きとなるように飲料水サーバの所定位置（具体的には、後述する冷水タンク２の凹陥部２ａ）に装着される。
【００１８】
冷水タンク２は、ウォーターボトル１の取り付けが可能なように上部に凹陥部２ａが形成された金属製のタンクで構成される。この凹陥部２ａの底面には、ウォーターボトル１から供給される飲料水を上記温水タンク３に供給するための飲料水供給管１２の一端が設けられている（詳細は後述する）。
【００１９】
この冷水タンク２には、図外のコンプレッサから供給される冷媒によってタンク内の飲料水を冷却する冷却装置（図示せず）が備えられている。この冷却装置は上記制御部４によって制御される。すなわち、制御部４は、冷水タンク２内の飲料水の温度を測定する温度センサ（図示せず）から得られる温度検出信号に基づいて、冷水タンク２内の飲料水の温度が所定の設定温度となるように冷却装置の運転を制御するように構成されている。なお、この冷水タンク２は、冷却装置によって冷却された飲料水が外気の温度によって上昇しないように、その周囲を断熱材（図示せず）で被覆するなどの保温処理が施される。
【００２０】
冷水タンク２の内部の上方には、後述する第２の飲料水供給管１３から供給される高温の飲料水がタンク内の低温の飲料水（冷却装置で冷却された飲料水）と直接混ざり合わないようにバッフルプレート５が配設されており、上記第２の飲料水供給管１３から供給された飲料水はこのバッフルプレート５に設けられる貫通孔（図示せず）を通じて低温の飲料水と緩やかに混ざるようにされている。
【００２１】
そして、この冷水タンク２の下部（本実施形態では冷水タンク２の底部）には、タンク２内の飲料水を外部に取り出すための冷水注出管６が接続され、この冷水注出管６の先端に冷水注出弁７が設けられている。つまり、この冷水注出弁７を開くことによって冷水タンク２内の飲料水が外部に取り出し可能とされている。なお、この冷水注出弁７の下流側には冷水の注ぎ口を構成する下流側水管７０が設けられている。
【００２２】
そして、この冷水タンク２内には、タンク内の飲料水の殺菌を目的として、該タンク内に紫外線を照射可能な紫外線ランプ８が配設されている。この紫外線ランプ８は、図示のように、その一端が冷水注出管６と直交するように冷水注出管６を貫通して配設されており、上記冷水タンク２の内部だけでなく冷水注出管６の内部についても紫外線の照射（殺菌）が可能とされている。また、該紫外線ランプ８の他端は少なくとも上記バッフルプレート５に達するように配置され、バッフルプレート５の下方のタンク内（冷水が貯留された部分）について紫外線の照射が可能とされている。
【００２３】
紫外線ランプ８は、周囲に放射状に紫外線の照射が可能な棒状のランプが用いられる。具体的には、このような紫外線ランプとして、いわゆる直管型のランプが好適に使用されるが、この他にもいわゆるＵ字管型の紫外線ランプを用いてもよい。なお、この紫外線ランプ８の点灯／消灯は上記制御部４によって制御される。
【００２４】
温水タンク３は、上記冷水タンク２の下方に配置された金属製のタンクで構成される。この温水タンク２には、タンク内の飲料水を加熱するための電気ヒータ９が備えられている。この電気ヒータ９は、上記冷水タンク２の冷却装置と同様に、上記制御部４によって制御される。すなわち、制御部４は、温水タンク３内の飲料水の温度を測定する温度センサ（図示せず）から得られる温度検出信号に基づいて、温水タンク３内の飲料水が所定の設定温度となるように電気ヒータ９のオン／オフを制御している。
【００２５】
そして、この温水タンク３は、電気ヒータ９によって加熱昇温させた飲料水が自然放熱によって冷め難いように、その周囲を断熱材（図示せず）で被覆するなどの保温処理が施される。
【００２６】
また、この温水タンク３の上部（図示例では温水タンク３の上面）には、温水タンク３内の飲料水を外部に取り出すための温水注出管１０が接続されており、この温水注出管１０の先端には温水注出弁１１が設けられている。つまり、この温水注出弁１１を開くことによって温水タンク３内の飲料水が外部に取り出し可能とされている。
【００２７】
そして、このように構成された飲料水サーバにおいては、ウォーターボトル１から供給される飲料水は一旦温水タンク３に導入され、この温水タンク３内で加熱（熱殺菌）された後に冷水タンク２に供給されるように構成されている。
【００２８】
すなわち、上記冷水タンク２の凹陥部２ａに一端が臨んで配設された飲料水供給管１２は、その他端が、図示のように温水タンク３のタンク内（特にタンク内の底部付近）に導入されるように配置され、この飲料水供給管１２を通じて温水タンク３がウォーターボトル１から飲料水の供給を受けるように構成されている。そして、冷水タンク２内の飲料水が冷水注出管６から注出され、あるいは、下流側に飲料水が存在しないこと（飲料水サーバの設置時のようにタンク２，３が空の状態）によって、ウォーターボトル１の飲料水が飲料水供給管１２を通じて自然落下して温水タンク３内へ流入し、温水タンク３内の飲料水が第２の飲料水供給管１３を通じて冷水タンク２内に供給される。なお、第２の飲料水供給管１３は、その一端が温水タンク３の上部に接続され、その他端が上記冷水タンク２内のバッフルプレート５の上面に臨んで配置されており、第２の飲料水供給管１３を通じて冷水タンク２のバッフルプレート５の上面に導入される飲料水は、バッフルプレート５の貫通孔（図示せず）を通じて冷水タンク２内に供給される。
【００２９】
制御部４は、飲料水サーバの各部を制御するための制御装置であって、図示しないマイクロコンピュータを備えて構成される。このマイクロコンピュータには、上記冷却装置及び電気ヒータ９を制御することによって冷水タンク２及び温水タンク３内の飲料水を所定の設定温度に維持する制御を実行するためのプログラムが備えられている。
【００３０】
しかして、このような構成を備えた飲料水サーバにおいて、本発明では上記冷水注出弁７の下流側に配設される下流側水管７０の管路を加熱する加熱手段１５が設けられている。
【００３１】
本実施形態の飲料水サーバにおいては、この加熱手段１５として、温水タンク３から飲料水を取り出すための温水注出管１０（具体的には、同温水注出管１０内の温水）が用いられる。
【００３２】
図２は、温水注出管１０を用いた加熱手段１５の一例を示す説明図であって、図２(a)はその外観図を、図２(b)は同加熱手段１５の内部構造の一例を示し、また、図２(c)は、同加熱手段１５の内部構造の他の一例を示している。
【００３３】
図示のように、この加熱手段１５は、冷水注出弁７と温水注出弁１１とが備えられるケース１６を有して構成される。このケース１６には、冷水注出管６および温水注出管１０が接続され、ケース１６内で上記温水注出管１０が冷水注出弁７の下流側水管７０に近接するように配設され、これにより温水注出管１０内の飲料水（温水）の熱を利用して下流側水管７０の管路が加熱されるように構成されている。
【００３４】
なお、このケース１６内における温水注出管１０と下流側水管７０は、少なくとも両者が近接する部分には熱伝導率の高い部材（たとえば、金属）を用い、温水注出管１０による加熱が効率よく行われるようにしておくのが好ましい。
【００３５】
図２(b)は、温水注出管１０を冷水注出弁７の下流側水管７０に近接させる構成の一例を示しており、この例では、温水注出管１０の管路が下流側水管７０の一部と並行するように配設されている。具体的には、冷水タンク２からの飲料水は、図中の一点鎖線で示すように、冷水注出管６を介してケース１６内の冷水注出弁７に導かれ、下流側水管７０を通って下向きに吐出されるように構成される。そして、温水タンク３からの飲料水は、図中の鎖線で示すように、温水注出管１０を介してケース１６内に導かれた後、該ケース１６内で下流側水管７０の一部（下向きに配設された部分）と並行するように配管され、その後温水注出弁７に導かれる。そして、温水注出弁１１の下流側に設けられる下流側水管１１０から吐出されるように構成される。
【００３６】
ここで、温水注出管１０において冷水注出弁７の下流側水管７０と並行する部分は、温水注出弁１１に対して上流側に設定されているので、この部分には常時温水が滞留し、冷水注出弁７の下流側水管７０が加熱される。
【００３７】
ちなみに、温水注出弁１１が開かれて温水が取り出されると、この部分には温水タンク３内の高温の温水（たとえば、８０〜９０℃程度）が流れるので、これに伴って下流側水管７０も高温になり管路内の水分の蒸発が促進される。その一方、温水注出弁１１が閉じられた状態が続くと、温水注出弁１１が開かれたときのような高温にはならないが、それでもなお温水タンク３と連通しているのでこの部分の温水の温度は常温よりも高い温度（たとえば、３０〜５０℃程度）に保たれる。そのため、この場合でも下流側水管７０は加熱され、少なくとも下流側水管７０に結露が生じるのが防止される。
【００３８】
なお、この図２(b)に示す構成では、温水注出弁１１の下流側の下流側水管１１０の先端（注ぎ口）が冷水注出弁７の下流側水管７０の先端（注ぎ口）に隣接するように配置されているが、これは温水と冷水の注ぎ口を近傍に配置することにより飲料水サーバの使い勝手をよくするためである。したがって、両者の位置は適宜設計変更可能である（後述する図２(c)の場合も同様である）。
【００３９】
次に、図２(c)の構成について説明する。この場合、温水注出管１０の管路が下流側水管７０の周囲の少なくとも一部を回るように交差して配設されている。具体的には、冷水タンク２からの飲料水は、図中の一点鎖線で示すように、冷水注出管６を介してケース１６内の冷水注出弁７に導かれ、下流側水管７０を通って下向きに吐出されるように構成される。そして、温水タンク３からの飲料水は、図中の鎖線で示すように、温水注出管１０を介してケース１６内に導かれた後、該ケース１６内で下流側水管７０の一部（下向きに配設された部分）を巻くように配管され、その後温水注出弁７に導かれる。そして、温水注出弁１１の下流側に設けられる下流側水管１１０から吐出されるように構成される。
【００４０】
この図２(c)の構成においても、温水注出管１０において冷水注出弁７の下流側水管７０を回る部分が温水注出弁１１に対して上流側に設定されるのは上述した図２(b)の場合と同様である。したがって、この場合も、温水注出管１０によって冷水注出弁７の下流側水管７０が常時加熱される。
【００４１】
なお、図示例では温水注出管１０が下流側水管７０の周りを一巻きだけする場合を示したが、コイル状に複数回巻きこむように構成することも可能である。
【００４２】
実施形態２
次に、本発明の第２の実施形態を説明する。この第２の実施形態は、上述した第１の実施形態における加熱手段１５の構成を改変したものであってその他の構成は第１の実施形態と同様である。したがって、構成が共通する部分には同一の符号を付して説明を省略する。
【００４３】
この第２の実施形態は、上記加熱手段１５として電気ヒータを用いている。すなわち、本実施形態では下流側水管７０に同水管７０を加熱する電気ヒータ（図示せず）が取り付けられる。この取り付けは、たとえば、下流側水管７０の周囲に電気ヒータを巻いたり、あるいは下流側水管７０に沿って電気ヒータを配設するなど適宜の方法で行われる。
【００４４】
なお、この電気ヒータは常時下流側水管７０を加熱するように構成してもよいのは勿論であるが、上記制御部４によって制御可能に構成し、たとえば定期的にまたは冷水注出弁７を開いた後の一定時間作動するように設定しておくことも可能である。また、電気ヒータで加熱する温度に高低を設定し、下流側水管７０内の水分を蒸発させる場合は高温（たとえば８０〜９０℃程度）に加熱し、結露を防止させる場合はそれよりも低い温度（たとえば３０〜４０℃程度）に加熱するように構成しておくことも可能である。
【００４５】
このように、本実施形態においても上述した実施形態と同様、冷水注出弁７の下流側水管７０の管路内に付着・残留する水分を電気ヒータによって加熱・蒸発させることができるので、水管内を乾いた状態に保ち雑菌の発生を防止することができる。また、加熱によって下流側水管７０の温度が下がるのを防止できるので管路内に結露が発生するのを防止できる。
【００４６】
実施形態３
次に、本発明の第３の実施形態を図３および図４に基づいて説明する。本実施形態は上述した第１の実施形態または第２の実施形態における冷水注出弁７の下流側水管７０の管路の断面形状を変更したものである。その他の構成は、第１の実施形態または第２の実施形態と同様であるので、構成が共通する部分には同一の符号を付して説明を省略する。
【００４７】
図３は、下流側水管７０の管路の形状を示す説明図であり、図３(a)は冷水注水弁７に下流側水管７０が設けられる状態の一例を示す斜視図であり、図３(b)は図３(a)において冷水注水弁７を取り除いて下流側水管７０を上方から見た図であり、図３(c)は同下流側水管７０を斜め下方から見た図である。
【００４８】
本実施形態に示す飲料水サーバにおいては、冷水注出弁７の下流側水管７０の管路の断面形状が、図３(b)および図３(c)に示すように、長孔状を呈するように構成されている。具体的には、符号７０ａに示すように略半円弧状の楕円形に形成されている。これは、通常の配管のように断面形状を円形にすると、冷水注出弁７の開け閉めを行うと、管路内に残っている飲料水が薄い膜状となって管路を塞ぐ（水膜が形成される）ことから、このような膜が形成されないように長孔状に形成したものである。
【００４９】
なお、図３は上記加熱手段１５の図示は省略しているが、上述した第２の実施形態のように加熱手段１５として電気ヒータを用いる場合には、図示の下流側水管７０の表面に電気ヒータが配設される。また、第１の実施形態のように温水注出管１０を用いて加熱する場合については特に図示しないが、この場合も下流側水管７０の管路の断面形状が図３に示すのと同様に長孔状の形状とされる。
【００５０】
また、図３は冷水注出弁７が縦向きに配置された場合を示しているが（図３(a)参照）、本発明は冷水注出弁７が横向きに配置される場合にも適用可能である。すなわち、図４は冷水注出弁７を横向きに配置した場合を示しており、この場合、下流側水管７０の断面形状は図４(b)の符号７０ｂに示すように、円弧状でない楕円形（長孔状）とされる。なお、この場合の作用効果も上記図３の場合と同様である。
【００５１】
なお、上述した実施形態はあくまでも本発明の好適な実施態様を示すものであって、本発明はこれらに限定されることなくその範囲内で種々の設計変更が可能である。  
【００５２】
たとえば、上述した実施形態では、飲料水サーバが冷水タンク２と温水タンク３の双方を備える場合について説明したが、本発明は冷水タンクのみで構成される飲料水サーバにも適用可能である。なお、その場合、温水タンク３の温水を利用して下流側水管７０を加熱することはできないので、上記加熱手段としては電気ヒータが用いられる。
【００５３】
また、上述した実施形態では温水タンク３内では電気ヒータ９を利用して熱殺菌のみを行う場合を示したが、たとえば、温水タンク３に別途冷却手段を設けてタンク内の温度を急速に下げることができるように構成しておき、制御部４によりこの冷却手段による冷却と上記電気ヒータ９による加熱とを交互に行なわせて温水タンク３内を間欠殺菌するように構成することも可能である。このように間欠殺菌を行うことにより、熱殺菌だけでは死滅しない芽胞菌等についても確実に殺菌することができる。
【図面の簡単な説明】
【００５４】
【図１】本発明に係る飲料水サーバの一例を示す概略構成図である。
【図２】同飲料水サーバにおける加熱手段の一例を示す説明図であって、図２(a)はその外観図を、図２(b)は同加熱手段１５の内部構造の一例を示し、また、図２(c)は、同加熱手段１５の内部構造の他の一例を示している。
【図３】同飲料水サーバにおける下流側水管の管路の形状を示す説明図であり、図３(a)は冷水注水弁に下流側水管が設けられた状態の一例を示す斜視図であり、図３(b)は図３(a)において冷水注水弁を取り除いて下流側水管を上方から見た図であり、図３(c)は同下流側水管を斜め下方から見た図である。
【図４】同飲料水サーバにおける下流側水管の管路の形状の他の実施形態を示す説明図であり、図４(a)はその外観を示す斜視図であり、図４(b)は同下流側水管を斜め下方から見た図である。
【図５】従来の飲料水サーバの概略構成を示す説明図である。
【符号の説明】
【００５５】
１              ウォーターボトル
２              冷水タンク
３              温水タンク
４              制御部
５              バッフルプレート
６              冷水注出管
７              冷水注出弁
７０            下流側水管
８              紫外線ランプ
９              電気ヒータ
１０            温水注出管
１１            温水注出弁
１２            飲料水供給管
１３            第２の飲料水供給管
１５            加熱手段
【図１】
2009083871.tif 000003
【図２】
2009083871.tif 000004
【図３】
2009083871.tif 000005
【図４】
2009083871.tif 000006
【図５】
2009083871.tif 000007